(57)【要約】【課題】本願発明は、基地局装置から遠隔で無線端末装置をテストモードに切り替えてテストをすることのできるトランクドシステムの提供を目的とする。【解決手段】本願発明のトランクドシステムは、テスト指示の記載されたテスト制御データをテスト機能解除用暗号キーで暗号化して暗号化制御データを生成し、前記テスト機能解除用暗号キーに対応するキーＩＤ及び前記暗号化制御データを伝送フレームに配置して前記無線端末装置に送信する基地局装置と、前記キーＩＤを検出すると前記キーＩＤに対応する前記テスト機能解除用暗号キーで暗号化制御データを復号化してテスト制御データを再生し、テスト制御データに記載されたテスト指示に従ってテストを開始する無線端末装置と、を備える。【選択図】図１
2012205118.tif 000002
【特許請求の範囲】
【請求項１】
基地局装置と複数の無線端末装置とを同時に無線接続するトランクドシステムであって、
テスト指示の記載されたテスト制御データをテスト機能解除用暗号キーで暗号化して暗号化制御データを生成し、前記テスト機能解除用暗号キーに対応するキーＩＤ及び前記暗号化制御データを伝送フレームに配置して前記無線端末装置に送信する基地局装置と、
前記キーＩＤを検出すると前記キーＩＤに対応する前記テスト機能解除用暗号キーで暗号化制御データを復号化してテスト制御データを再生し、テスト制御データに記載されたテスト指示に従ってテストを開始する無線端末装置と、
を備えるトランクドシステム。
【請求項２】
前記テスト制御データにはテストに使用するテスト用無線周波数の指定が含まれ、前記無線端末装置は、指定された前記テスト用無線周波数を使用してテストを行うことを特徴とする請求項１に記載のトランクドシステム。
【請求項３】
前記基地局装置は、前記キーＩＤ及び前記暗号化制御データを伝送フレームのデータ部に配置してから、前記ヘッダー部を含めて誤り検出及び誤り訂正ができるよう前記伝送フレームに誤り検出訂正符号を付加して送信し、
前記無線端末装置は、前記キーＩＤを検出すると、前記誤り検出訂正符号を利用して前記ヘッダー部のみ誤り検出及び誤り訂正することを特徴とする請求項１又は２に記載のトランクドシステム。
【請求項４】
基地局装置と複数の無線端末装置とを同時に無線接続するトランクドシステムに適用する無線端末装置であって、
テスト指示の記載されたテスト制御データがテスト機能解除用暗号キーで暗号化された暗号化制御データ及び前記テスト機能解除用暗号キーに対応するキーＩＤを受信し、前記キーＩＤを検出すると前記キーＩＤに対応する前記テスト機能解除用暗号キーで暗号化制御データを復号化してテスト制御データを再生し、テスト制御データに記載されたテスト指示に従ってテストを開始する無線端末装置。
【請求項５】
前記テスト制御データにはテストに使用するテスト用無線周波数の指定が含まれ、指定された前記テスト用無線周波数を使用してテストを行うことを特徴とする請求項４に記載の無線端末装置。
【請求項６】
前記キーＩＤ及び前記暗号化制御データの配置された伝送フレームのヘッダー部を含めて誤り検出及び誤り訂正ができる誤り検出訂正符号を受信し、
前記キーＩＤを検出すると、前記誤り検出訂正符号を利用して前記ヘッダー部のみ誤り検出及び誤り訂正することを特徴とする請求項４又は５に記載の無線端末装置。
【発明の詳細な説明】
【技術分野】
【０００１】
本発明は、基地局装置と複数の無線端末装置を同時に接続するトランクドシステム及びそのシステムに適用する無線端末装置に関する（例えば、非特許文献１参照）。
【背景技術】
【０００２】
無線端末装置の試験方法としては、無線端末装置を検査する時に、シールドケース内に配置した無線端末装置に対して擬似的空間を作り上げてテストする方法がある（例えば、特許文献１参照。）。
【０００３】
この方法は、無線端末装置を予め手動でテストモードに切り替え、制御用ケーブルを接続し、コンピュータから遠隔制御でテストするものである。
【先行技術文献】
【特許文献】
【０００４】
【特許文献１】特開平９−８３４６４
【非特許文献】
【０００５】
【非特許文献１】TIA-102.BAAA-A “Project 25 FDMA - Common AirInterface”
【非特許文献２】TIA/EIA-102.AACA “Project 25 Digital RadioOver-the-Air Rekeying (OTAR) Protocol”
【発明の概要】
【発明が解決しようとする課題】
【０００６】
従来の方法では、出荷時等のように、被テスト対象の無線端末装置を手動でテストモードに切り替える必要があった。また、出荷後にテストする際には被テスト対象の無線端末装置を回収する必要があった。
【０００７】
そこで、本願発明は、基地局装置から遠隔で無線端末装置をパケットデータを使ったテストモードに切り替えてテストをすることのできるトランクドシステム及びそのシステムに適用する無線端末装置の提供を目的とする。
【課題を解決するための手段】
【０００８】
上記目的を達成するために、本願発明では、基地局装置から無線端末装置に対してパケットデータを使ってテスト指示を行い、遠隔でテストを行う。テスト開始時には、予め定めたキーＩＤを基地局装置から無線端末装置に送信し、キーＩＤを受信した無線端末装置はテストモードに移行する。基地局装置から無線端末装置に送信するテストの指示内容は、キーＩＤに対応する暗号キーで暗号化が施されている。
【０００９】
具体的には、本願発明のトランクドシステムは、基地局装置と複数の無線端末装置とを同時に無線接続するトランクドシステムであって、テスト指示の記載されたテスト制御データをテスト機能解除用暗号キーで暗号化して暗号化制御データを生成し、前記テスト機能解除用暗号キーに対応するキーＩＤ及び前記暗号化制御データを伝送フレームに配置して前記無線端末装置に送信する基地局装置と、前記キーＩＤを検出すると前記キーＩＤに対応する前記テスト機能解除用暗号キーで暗号化制御データを復号化してテスト制御データを再生し、テスト制御データに記載されたテスト指示に従ってテストを開始する無線端末装置と、を備える。
【００１０】
本願発明のトランクドシステムでは、基地局装置から遠隔で無線端末装置をパケットデータを使ってテストモードに切り替えてテストをすることができる。また、キーＩＤを知らないとテストモードに移行することができないため、第三者にテストモードを悪用される危険性が減少する。さらに、たとえキーＩＤが知られたとしても、制御データはテスト機能解除用暗号キーで暗号化されているため、第三者はテスト指示の内容を知ることができない。
【００１１】
本願発明のトランクドシステムでは、前記テスト制御データにはテストに使用するテスト用無線周波数の指定が含まれ、前記無線端末装置は、指定された前記テスト用無線周波数を使用してテストを行うことを特徴とする。
【００１２】
本願発明のトランクドシステムでは、基地局装置からテスト用無線周波数が指定されるため、第三者はテスト内容の傍受が困難になり、また、テスト用無線周波数の重複を回避することができる。
【００１３】
本願発明のトランクドシステムでは、前記基地局装置は、前記キーＩＤ及び前記暗号化制御データを伝送フレームのヘッダー部の次のデータに配置してから、ヘッダー部を含めて誤り検出及び誤り訂正ができるよう前記伝送フレームに誤り検出訂正符号を付加して送信し、前記無線端末装置は、前記キーＩＤを検出すると、前記誤り検出訂正符号を利用して前記ヘッダー部のみ誤り検出及び誤り訂正することを特徴とする。
【００１４】
本願発明のトランクドシステムでは、テストモードでは、キーＩＤ及び暗号化制御データを受信できれば、他のデータの誤り検出及び誤り訂正を省略することで、テスト中は無線端末装置の省電力化を図ることができる。
【００１５】
上記目的を達成するために、具体的には、本願発明の無線端末装置は、基地局装置と複数の無線端末装置とを同時に無線接続するトランクドシステムに適用する無線端末装置であって、テスト指示の記載されたテスト制御データがテスト機能解除用暗号キーで暗号化された暗号化制御データ及び前記テスト機能解除用暗号キーに対応するキーＩＤを受信し、前記キーＩＤを検出すると前記キーＩＤに対応する前記テスト機能解除用暗号キーで暗号化制御データを復号化してテスト制御データを再生し、テスト制御データに記載されたテスト指示に従ってテストを開始する無線端末装置である。
【００１６】
本願発明の無線端末装置では、基地局装置から遠隔で無線端末装置をテストモードに切り替えてテストをすることができる。また、キーＩＤを知らないとテストモードに移行することができないため、第三者にテストモードを悪用される危険性が減少する。さらに、たとえキーＩＤが知られたとしても、制御データはテスト機能解除用暗号キーで暗号化されているため、第三者はテスト指示の内容を知ることができない。
【００１７】
本願発明の無線端末装置では、前記テスト制御データにはテストに使用するテスト用無線周波数の指定が含まれ、指定された前記テスト用無線周波数を使用してテストを行うことを特徴とする。
【００１８】
本願発明の無線端末装置では、基地局からテスト用無線周波数が指定されるため、第三者はテスト内容の傍受が困難になり、また、テスト用無線周波数の重複を回避することができる。
【００１９】
本願発明の無線端末装置では、前記キーＩＤ及び前記暗号化制御データの配置された伝送フレームのヘッダー部を含めて誤り検出及び誤り訂正ができる誤り検出訂正符号を受信し、前記キーＩＤを検出すると、前記誤り検出訂正符号を利用して前記ヘッダー部のみ誤り検出及び誤り訂正することを特徴とする。
【００２０】
本願発明の無線端末装置では、テストモードでは、キーＩＤ及び暗号化制御データを受信できれば、他のデータの誤り検出及び誤り訂正を省略することで、テスト中は無線端末装置の省電力化を図ることができる。
【発明の効果】
【００２１】
本願発明によれば、基地局装置から遠隔で無線端末装置をテストモードに切り替えてテストをすることのできるトランクドシステム及びそのシステムに適用する無線端末装置を提供することができる。
【図面の簡単な説明】
【００２２】
【図１】トランクドシステムの動作を示す図である。
【図２】トランクドシステムの動作を示す図である。
【発明を実施するための形態】
【００２３】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２４】
（実施形態１）
本実施形態に係るトランクドシステムの動作を図１に示す。トランクドシステムとは、基地局装置無線システムをいう。
【００２５】
図１において、まず、基地局装置は、テスト指示の記載されたテスト制御データをテスト機能解除用暗号キーで暗号化して暗号化制御データを生成する。暗号方法は暗号キーを利用するものであれば何でもよい。例えば、ＤＥＳ（Ｄａｔａ  Ｅｎｃｒｙｐｔｉｏｎ  Ｓｔａｎｄａｒｄ）、ＡＥＳ（Ａｄｖａｎｃｅｄ  Ｅｎｃｒｙｐｔｉｏｎ  Ｓｔａｎｄａｒｄ）、ＲＣ４（Ｒｉｖｅｓｔ  Ｃｉｐｈｅｒ  ４）などである。
【００２６】
テスト制御データには、テスト動作のタイミングやテスト動作の内容が含まれている。テスト制御データには、テスト用無線周波数の指定が含まれていてもよい。基地局装置からテスト用無線周波数が指定されると、第三者はテスト内容の傍受が困難になる。また、基地局装置がテスト用無線周波数を指定すると、周波数の重複を回避することが容易である。テスト用無線周波数は基地局装置から無線端末装置への通信と無線端末装置から基地局装置への通信の両方に適用してもよいし、いずれか一方に適用してもよい。
【００２７】
基地局装置は、テスト機能解除用暗号キーを暗号化制御データと同時に無線端末装置に送信はしない。テスト機能解除用暗号キーに替えて、テスト機能解除用暗号キーに対応するキーＩＤを送信する。テスト制御データを暗号化することによって、テスト指示の内容が傍受されることを防止することができる。また、テスト機能解除用暗号キーに替えて、テスト機能解除用暗号キーに対応するキーＩＤを送信することによって、暗号化制御データが解読されることを回避することができる。テスト機能解除用暗号キーとキーＩＤの対応は、予め定めておいて、基地局装置及び無線端末装置がその対応を実装しておいてもよい。または、テスト開始に先立って、基地局装置から無線端末装置に送信しておいてもよい。
【００２８】
次に、基地局装置は、キーＩＤ及び暗号化制御データを伝送フレームに配置する。ＡＰＣＯ  Ｐｒｏｊｅｃｔ２５の規格では、伝送フレームのデータフォーマットは、制御信号等を配置するヘッダー部とデータ信号を配置するデータ部に分けられる。ここでは、キーＩＤはヘッダー部の次のデータに配置され、暗号化制御データをキーＩＤの次のデータに配置することが好ましい。
【００２９】
基地局装置はキーＩＤ及び前記暗号化制御データを伝送フレームに配置して無線端末装置に送信する。
【００３０】
無線端末装置は、伝送フレームからキーＩＤを検出すると、キーＩＤに対応するテスト機能解除用暗号キーで暗号化制御データを復号化してテスト制御データを再生する。無線端末装置は、テスト制御データを再生したあと、テスト制御データに記載されたテスト指示に従ってテストを開始する。
【００３１】
テストに使用するテスト用無線周波数の指定がテスト制御データに含まれていれば、無線端末装置は、指定に従ったテスト用無線周波数を使用することになる。
【００３２】
（実施形態２）
本実施形態に係るトランクドシステムの動作を図２に示す。実施形態１との相違は、誤り検出訂正符号の利用である。
【００３３】
基地局装置は、伝送フレームのデータ部にキーＩＤ及び暗号化制御データを伝送フレームのデータ部に配置してから、ヘッダー部を含んで、誤り検出及び誤り訂正ができるよう伝送フレームに誤り検出訂正符号を付加する。無線端末装置が誤り検出及び誤り訂正をすると、基地局装置から無線端末装置へのテスト指示が確実になる。
【００３４】
無線端末装置は、伝送フレームに配置された誤り検出訂正符号を利用して、伝送フレーム全体の誤り検出及び誤り訂正をしてもよい。基地局装置から無線端末装置へのテスト指示が確実になる。また、図２に示すように、無線端末装置が、キーＩＤを検出すると、ヘッダー部のみ誤り検出及び誤り訂正をしてもよい。テストモードでは、データ部には無為なデータが配置されている。そのため、無線端末装置が、データ部での動作を中断しても問題は生じない。その一方で、動作の中断によって、無線端末装置の省電力化を図ることができる。
【産業上の利用可能性】
【００３５】
本発明は情報通信産業に適用することができる。
【図１】
2012205118.tif 000003
【図２】
2012205118.tif 000004